(57)【要約】      （修正有）【課題】ビールサーバーバルブに装着されて、ビールサーバーと合わせて使用することができ、構造が簡単であり、取り扱いが容易であり、別体構造を採用することで、取り外しや洗浄、メンテナンスが容易となるビール泡立て装置を提供する。【解決手段】連通管１、本体２及びグリップ３を備え、連通管の上部に接続口１１が設けられ、接続口が外部のビールサーバーバルブに嵌合され、連通管の左右両側には、本体に嵌合されるビールバルブ口と、グリップに嵌合されるグリップ嵌合口１３とがそれぞれ設けられており、本体は、流路４、ハウジング５及び泡立て機構を備え、流路がハウジングと着脱可能に連結される。【選択図】図１
0003226176.tif 000002
【実用新案登録請求の範囲】
【請求項１】
連通管、本体及びグリップを備え、前記連通管の上部に接続口が設けられ、前記接続口が外部のビールサーバーバルブに嵌合され、前記連通管の左右両側には、本体に嵌合されるビールバルブ口と、グリップに嵌合されるグリップ嵌合口とがそれぞれ設けられており、
前記本体は、流路、ハウジング及び泡立て機構を備え、前記流路がハウジングと着脱可能に連結され、前記泡立て機構がハウジング内に設けられ、前記流路の一端が連通管のビールバルブ口に連通し、流路の他端がハウジングを貫通して外部に突出し、前記泡立て機構が流路に対応して設けられ、外部のビールサーバー内のビールが連通管の接続口を介してビールバルブ口に流れて、流路を介して流出し、流路内のビールが泡立て機構の作動により泡立てられる
ことを特徴とするビール泡立て装置。
【請求項２】
前記接続口にねじ山が設けられ、前記接続口がねじ山を介して外部のビールサーバーバルブと着脱可能に連結されている
請求項１に記載のビール泡立て装置。
【請求項３】
前記流路は、一体成形されてＬ字状に接合された連結部及び配管を備え、前記連結部には、ねじ山が内側面に設けられて、ビールバルブ口と着脱可能に連結されている受入口が設けられ、前記連結部には係合溝がさらに設けられ、前記連結部が係合溝を介してハウジングと着脱可能に連結されている
請求項１に記載のビール泡立て装置。
【請求項４】
前記ハウジングの流路と連結される側には、係合溝に係合する係合柱が設けられている
請求項３に記載のビール泡立て装置。
【請求項５】
前記泡立て機構は、超音波ホーン、本体無線送受信機及び本体ＰＣＢ基板を備え、前記超音波ホーン及び本体無線送受信機が本体ＰＣＢ基板に電気的に接続され、前記本体無線送受信機がグリップのコントロールセンタに通信接続され、前記超音波ホーンが流路の入口に対応している
請求項１に記載のビール泡立て装置。
【請求項６】
前記グリップは、グリップ本体、グリップＰＣＢ基板、グリップ無線送受信機及びボタンを備え、前記グリップＰＣＢ基板及びグリップ無線送受信機がグリップ本体内に設けられ、前記グリップ無線送受信機及びボタンがグリップＰＣＢ基板に電気的に接続され、前記グリップ無線送受信機が本体無線送受信機に通信接続され、前記グリップ本体の先端がグリップ嵌合口に連結され、前記ボタンがグリップ本体の基端に設けられている
請求項５に記載のビール泡立て装置。
【請求項７】
前記本体には、本体ＰＣＢ基板にそれぞれ電気的に接続されるＬＥＤ表示灯及び表示ボタンがさらに設けられており、前記ＬＥＤ表示灯が流路の出口側に設けられている
請求項５に記載のビール泡立て装置。
【請求項８】
前記表示ボタンが本体の底部に設けられている
請求項７に記載のビール泡立て装置。
【請求項９】
前記ハウジングが着脱可能に連結され、ハウジング内には、本体ＰＣＢ基板に電気的に接続される電池がさらに設けられている
請求項５に記載のビール泡立て装置。
【考案の詳細な説明】
【技術分野】
【０００１】
本考案は、ビール泡立て装置の技術分野に関する。
【背景技術】
【０００２】
ビールは、小麦麦芽及び大麦麦芽を主原料とし、ホップを添加して、糊化及び糖化して、さらに発酵して醸造されたものである。アルコール含有量が低く、炭酸ガス、複数種のアミノ酸、ビタミン、低分子糖、無機塩及び各種の酵素を含有し、これらの栄養成分が人体に吸収利用されやすく、ビール中の低分子糖及びアミノ酸が消化吸収されやすく、体内に大量の熱エネルギーが発生するから、ビールは「液体のパン」と呼ばれることが一般的である。
【０００３】
ビールを飲む際の口当たりを向上させるために、泡を発生させるビール泡発生装置（又はビール泡立て装置）が開発されており、従来技術では、ベース、超音波発生器、回路基板、電池ケース、電池及びスイッチを備え、さらにトップケース、ケースカバー、押さえばね、ボトムケース及びロック手段を備え、トップケースとケースカバーとが係合して上部ユニットを構成し、前記電池ケースがケースカバーに設けられ、回路基板が電池ケースの上部に設けられ、スイッチがケースカバーに設けられてスイッチ操作孔に嵌合され、超音波発生器が超音波ホルダ内に設けられ、押えばねは一端が上ばねシートに連結され、他端が超音波発生器に当接し、ベースとボトムケースとが係合して下部ユニットを構成し、ベースの筒状室の下端がボトムケースの嵌合孔に嵌合され、上・下部ユニットが係合して着脱可能に連結され、導液通路の端部が排出孔を貫通してトップケースから突出し、ベースとケースカバーとが密接し、超音波ホルダが泡発生室内に挿入される瓶ビール泡発生装置（特許文献１）を開示している。
【０００４】
従来技術では、装着部、回路基板、制御スイッチ、超音波ホーン、通路及び電源部を備え、該回路基板が制御スイッチ、超音波ホーン及び電源部に電気的に接続されて、超音波ホーンでビールを振動させて泡立てるように制御し、該通路が缶に連通して泡立てビールを送り出し、該装着部は、環状に間隔をおいて配置された係止部材が内壁に複数設けられているスリーブを有し、該スリーブが缶に嵌合可能であり、該係止部材が缶の頂端縁と係合可能で係止構造を構成し、該嵌合及び係止構造によって装着部と缶とを着脱可能に連結する缶ビール用のビール泡発生装置（特許文献２）をさらに開示している。
【０００５】
従来のビール泡立て装置は、ビール缶又はビール瓶に装着され、ビール泡立て装置を流れるビールを振動させて泡立ててビールの泡の量を増やすことによって、ビールの口当たりを向上させるが、ビールサーバーにおけるビールサーバーバルブと合わせて使用することができない。
【先行技術文献】
【特許文献】
【０００６】
【特許文献１】中国特許出願番号２０１５１０６９８９５９．１
【特許文献２】中国特許出願番号２０１６２００８１１４６．８
【考案の概要】
【考案が解決しようとする課題】
【０００７】
本考案は、上記技術に存在する欠点に鑑み、従来のビールサーバーバルブに装着されて、ビールサーバーと合わせて使用することができ、構造が簡単であり、取り扱いが容易であり、別体構造を採用することで、取り外しや洗浄、メンテナンスが容易となるビール泡立て装置を提供することを課題とする。
【課題を解決するための手段】
【０００８】
上述した目的を実現するために、本考案の技術的手段は下記通りである。
【０００９】
ビール泡立て装置は、連通管、本体及びグリップを備え、前記連通管の上部に接続口が設けられ、前記接続口が外部のビールサーバーバルブに嵌合され、前記連通管の左右両側には、本体に嵌合されるビールバルブ口と、グリップに嵌合されるグリップ嵌合口とがそれぞれ設けられており、前記本体は、流路、ハウジング及び泡立て機構を備え、前記流路がハウジングと着脱可能に連結され、前記泡立て機構がハウジング内に設けられ、前記流路の一端が連通管のビールバルブ口に連通し、流路の他端がハウジングを貫通して外部に突出し、前記泡立て機構が流路に対応して設けられ、外部のビールサーバー内のビールが連通管の接続口を介してビールバルブ口に流れて、流路を介して流出し、流路内のビールが泡立て機構の作動により泡立てられることを特徴としている。該装置は、接続口を介して従来のビールサーバーと合わせて使用することができ、ビールがグリップ嵌合口に流れることなく連通管の接続口を介してビールバルブ口に流れてから流路に流れることしかできず、通常の場合には、ビールサーバー内のビールが流路を介してグラスに流れるが、泡立てる必要がある場合には、泡立て機構の作動を制御することによって流路を流れるビールを泡立てることができ、使い勝手が良い。
【００１０】
さらに、前記接続口にねじ山が設けられ、前記接続口がねじ山を介して外部のビールサーバーバルブと着脱可能に連結されている。ねじ山を介して連結する方式によれば、ビールサーバー内のビールが泡立て装置の流路から確実に流出でき、着脱が非常に簡単であり、該ビール泡立て装置を取り外して洗浄することが容易となる。
【００１１】
さらに、前記流路は、一体成形されてＬ字状に接合された連結部及び配管を備え、前記連結部には、ねじ山が内側面に設けられて、ビールバルブ口と着脱可能に連結されている受入口が設けられ、前記連結部には係合溝がさらに設けられ、前記連結部が係合溝を介してハウジングと着脱可能に連結されている。前記流路と連通管及び前記流路とハウジングは、いずれも着脱可能に連結されており、着脱が容易であり、流路の日常的な洗浄やメンテナンスが容易となる。
【００１２】
さらに、前記ハウジングの流路と連結される側には、係合溝に係合する係合柱が設けられている。本体と連通管とを分解する際に、係合柱と係合溝とを離脱することにより、流路とハウジングとを取り外すことができ、流路の洗浄やメンテナンスが容易になる。
【００１３】
さらに、前記泡立て機構は、超音波ホーン、本体無線送受信機及び本体ＰＣＢ基板を備え、前記超音波ホーン及び本体無線送受信機が本体ＰＣＢ基板に電気的に接続され、前記本体無線送受信機がグリップのコントロールセンタに通信接続され、前記超音波ホーンが流路の入口に対応している。超音波ホーンを流路の入口に設けることで、流路を流れるビールを超音波で振動させて泡を発生させることができ、泡が流路を介してグラスに流れる。
【００１４】
さらに、前記グリップは、グリップ本体、グリップＰＣＢ基板、グリップ無線送受信機及びボタンを備え、前記グリップＰＣＢ基板及びグリップ無線送受信機がグリップ本体内に設けられ、前記グリップ無線送受信機及びボタンがグリップＰＣＢ基板に電気的に接続され、前記グリップ無線送受信機が本体無線送受信機に通信接続され、前記グリップ本体の先端がグリップ嵌合口に連結され、前記ボタンがグリップ本体の基端に設けられている。前記グリップ無線送受信機と本体無線送受信機とが互いに通信接続され、グリップ本体のボタンにより、泡立て機構における超音波ホーンの作動を制御し、さらに流路内のビールの泡立てを制御することができる。
【００１５】
さらに、前記本体には、本体ＰＣＢ基板にそれぞれ電気的に接続されるＬＥＤ表示灯及び表示ボタンがさらに設けられており、前記ＬＥＤ表示灯が流路の出口側に設けられている。表示ボタンによりＬＥＤ表示灯の作動を制御し、使用時にＬＥＤ表示灯がグラス内に流れたビールを照らすことができ、作業者がグラス内のビールの量を見ることが可能になる。
【００１６】
さらに、前記表示ボタンが本体の底部に設けられており、作業者の操作が容易になる。
【００１７】
さらに、前記ハウジングが着脱可能に連結され、ハウジング内には、本体ＰＣＢ基板に電気的に接続される電池がさらに設けられている。前記ハウジングが着脱可能であり、電池の交換が容易になる。
【考案の効果】
【００１８】
本考案の利点は、該装置は従来のビールサーバーバルブに装着されて、ビールサーバーと合わせて使用することができ、構造が簡単であり、取り扱いが容易であり、別体構造を採用することで、装置の取り外しや洗浄、メンテナンスが容易となる。
【図面の簡単な説明】
【００１９】
【図１】ビール泡立て装置の構造概略説明図
【図２】図１のビール泡立て装置の分解説明図
【図３】流路の構造概略説明図
【考案を実施するための最良の形態】
【００２０】
本考案の目的、技術的手段及び利点をより明確にするために、以下図面を参照しながら実施例によって本考案を詳細に説明する。ここで記載する具体的な実施例は本考案を説明するためのものであり、本考案を限定するためのものではない。
【００２１】
図１〜３に示すように、ビール泡立て装置は、連通管１、本体２及びグリップ３を備え、連通管１の上部に接続口１１が設けられ、接続口１１が外部のビールサーバーバルブ（図示せず）に嵌合され、連通管１の左右両側には、本体２に嵌合されるビールバルブ口１２と、グリップ３に嵌合されるグリップ嵌合口１３とがそれぞれ設けられており、本体２は、流路４、ハウジング５及び泡立て機構６を備え、流路４がハウジング５と着脱可能に連結され、泡立て機構６がハウジング５内に設けられ、流路４の一端が連通管１のビールバルブ口１２に連通し、流路４の他端がハウジング５を貫通して外部に突出し、泡立て機構６が流路４に対応して設けられ、外部のビールサーバー内のビールが連通管１の接続口１１を介してビールバルブ口１２に流れて、流路４を介して流出し、流路４内のビールが泡立て機構６の作動により泡立てられることを特徴としている。該装置は、接続口１１を介して従来のビールサーバーと合わせて使用することができ、ビールがグリップ嵌合口１３に流れることなく連通管１の接続口１１を介してビールバルブ口１２に流れてから流路４に流れることしかできず、通常の場合には、ビールサーバー内のビールが流路４を介してグラスに流れるが、泡立てる必要がある場合には、泡立て機構６の作動を制御することによって流路４を流れるビールを泡立てることができ、使い勝手が良い。
【００２２】
本実施例において、接続口１１にねじ山１１１が設けられ、接続口１１がねじ山１１１を介して外部のビールサーバーバルブと着脱可能に連結されている。ねじ山を介して連結する方式によれば、ビールサーバー内のビールが泡立て装置の流路４から確実に流出でき、着脱が非常に簡単であり、該ビール泡立て装置を取り外して洗浄することが容易となる。
【００２３】
本実施例において、流路４は、一体成形されてＬ字状に接合された連結部４１及び配管４２を備え、連結部４１には、ねじ山が内側面に設けられて、ビールバルブ口１２と着脱可能に連結されている受入口４３が設けられ、連結部４１には係合溝４４がさらに設けられ、連結部４１が係合溝４４を介してハウジング５と着脱可能に連結されている。流路４と連通管１及び流路４とハウジング５は、いずれも着脱可能に連結されており、着脱が容易であり、流路４の日常的な洗浄やメンテナンスが容易となる。
【００２４】
本実施例において、ハウジング５の流路４と連結される側には、係合溝４４に係合する係合柱５１が設けられている。本体２と連通管１とを分解する際に、係合柱５１と係合溝４４とを離脱することにより、流路４とハウジング５とを取り外すことができ、流路４の洗浄やメンテナンスが容易になる。
【００２５】
本実施例において、泡立て機構６は、超音波ホーン６１、本体無線送受信機（図示せず）及び本体ＰＣＢ基板６２を備え、超音波ホーン６１及び本体無線送受信機が本体ＰＣＢ基板６２に電気的に接続され、本体無線送受信機がグリップ３のコントロールセンタに通信接続され、超音波ホーン６１が流路４の入口に対応している。超音波ホーン６１を流路４の入口に設けることで、流路４を流れるビールを超音波で振動させて泡を発生させることができ、泡が流路４を介してグラスに流れる。
【００２６】
本実施例において、グリップ３は、グリップ本体３１、グリップＰＣＢ基板３２、グリップ無線送受信機（図示せず）及びボタン３３を備え、グリップＰＣＢ基板３２及びグリップ無線送受信機がグリップ本体３１内に設けられ、グリップ無線送受信機及びボタン３３がグリップＰＣＢ基板３２に電気的に接続され、グリップ無線送受信機が本体無線送受信機に通信接続され、グリップ本体３１の先端がグリップ嵌合口１３に連結され、ボタン３３がグリップ本体３１の基端に設けられている。グリップ無線送受信機と本体無線送受信機とが互いに通信接続され、グリップ本体３１のボタン３３により、泡立て機構における超音波ホーン６１の作動を制御し、さらに流路４内のビールの泡立てを制御することができる。
【００２７】
本実施例において、本体２には、本体ＰＣＢ基板６２にそれぞれ電気的に接続されるＬＥＤ表示灯２１及び表示ボタン２２がさらに設けられており、ＬＥＤ表示灯２１が流路４の出口側に設けられている。表示ボタン２２によりＬＥＤ表示灯２１の作動を制御し、使用時にＬＥＤ表示灯２１がグラス内に流れたビールを照らすことができ、作業者がグラス内のビールの量を見ることが可能になる。
【００２８】
本実施例において、表示ボタン２２が本体２の底部に設けられており、作業者の操作が容易になる。
【００２９】
本実施例において、ハウジング５が着脱可能に連結され、ハウジング５内には、本体ＰＣＢ基板６２に電気的に接続される電池５２がさらに設けられている。ハウジング５が着脱可能であり、電池５２の交換が容易になる。
【００３０】
本考案の利点は、該装置は従来のビールサーバーバルブに装着されて、ビールサーバーと合わせて使用することができ、構造が簡単であり、取り扱いが容易であり、別体構造を採用することで、装置の取り外しや洗浄、メンテナンスが容易となる。
【００３１】
以上の説明は本考案の好ましい実施形態に過ぎず、本考案を限定するためのものではなく、本考案の精神及び原則内で行われる全ての修正、同等置換及び変更などは、いずれも本考案の保護範囲内に含まれる。
【図１】
0003226176.tif 000003
【図２】
0003226176.tif 000004
【図３】
0003226176.tif 000005